(57)【要約】  本発明は、口腔健康に優れた効果を奏する歯ブラシ用毛及び弾性部材に関し、本発明による歯ブラシ用毛及び弾性部材を備える歯ブラシは、通常の歯ブラシが有する物理的洗浄効果だけでなく、抗菌、抗炎、香味、消炎、歯石予防、しみ歯予防及び歯茎疾患予防など各種口腔疾患の予防に役立つ。【選択図】図１
2014532510.tif 000002
【特許請求の範囲】
【請求項１】
内部コア層；及び前記内部コア層を囲む外部シェル層を備える多層構造の歯ブラシ用毛であって、
前記内部コア層及び外部シェル層の少なくとも１つ以上に口腔健康に有用な機能性成分を含むことを特徴とする口腔健康用歯ブラシ用毛。
【請求項２】
前記口腔健康に有用な機能性成分が、前記内部コア層を囲む外部シェル層に含まれることを特徴とする請求項１に記載の口腔健康用歯ブラシ用毛。
【請求項３】
前記口腔健康に有用な機能性成分を含む層が、口腔健康に有用な機能性成分及び高分子物質を含むことを特徴とする請求項１に記載の口腔健康用歯ブラシ用毛。
【請求項４】
前記口腔健康に有用な機能性成分の含量が、前記歯ブラシ用毛の全体重量対比０．１重量％ないし１０重量％であることを特徴とする請求項１に記載の口腔健康用歯ブラシ用毛。
【請求項５】
前記口腔健康に有用な機能性成分が、抗炎抗菌剤、美白剤、しみ歯緩和剤、歯石沈着防止剤、香味剤、口臭除去剤、歯茎健康剤、虫歯予防剤、及び口腔洗浄成分からなる群より選択された少なくとも１つ以上であることを特徴とする請求項１に記載の口腔健康用歯ブラシ用毛。
【請求項６】
前記口腔健康に有用な機能性成分が、竹塩、天日塩、製剤塩、精製塩、松塩、煮塩、溶融塩、加工塩、及びリン酸塩からなる群より選択される少なくとも１つ以上の塩類成分であることを特徴とする請求項１に記載の口腔健康用歯ブラシ用毛。
【請求項７】
前記塩類成分が、竹塩、リン酸塩及び松塩からなる群より選択される少なくとも１つ以上であることを特徴とする請求項６に記載の口腔健康用歯ブラシ用毛。
【請求項８】
前記高分子物質が、水溶性高分子物質であることを特徴とする請求項３に記載の口腔健康用歯ブラシ用毛。
【請求項９】
口腔健康に有用な機能性成分、水溶性高分子及び弾性体を含む口腔健康用弾性部材。
【請求項１０】
前記口腔健康に有用な機能性成分が、前記弾性部材の０．５重量％ないし５０重量％で含まれることを特徴とする請求項９に記載の口腔健康用弾性部材。
【請求項１１】
前記口腔健康に有用な機能性成分が、抗炎抗菌剤、美白剤、しみ歯緩和剤、歯石沈着防止剤、香味剤、口臭除去剤、歯茎健康剤、虫歯予防剤、及び口腔洗浄成分からなる群より選択された少なくとも１つ以上であることを特徴とする請求項９に記載の口腔健康用弾性部材。
【請求項１２】
前記口腔健康に有用な機能性成分が、竹塩、天日塩、製剤塩、精製塩、松塩、煮塩、溶融塩、加工塩、及びリン酸塩からなる群より選択される少なくとも１つ以上の塩類成分であることを特徴とする請求項９に記載の口腔健康用弾性部材。
【請求項１３】
前記塩類成分が、竹塩、リン酸塩及び松塩からなる群より選択される少なくとも１つ以上であることを特徴とする請求項１２に記載の口腔健康用弾性部材。
【請求項１４】
把柄部と連結され、所定厚さ及び幅を有する歯ブラシヘッド部；
内部コア層及び前記内部コア層を囲む外部シェル層を備える多層構造の歯ブラシ用毛であって、前記内部コア層及び外部シェル層の少なくとも１つ以上に口腔健康に有用な機能性成分を含み、前記歯ブラシヘッド部の上面に形成される口腔健康用歯ブラシ用毛；を備えることを特徴とする口腔健康用歯ブラシ。
【請求項１５】
口腔健康に有用な機能性成分が、前記内部コア層を囲む外部シェル層に含まれることを特徴とする請求項１４に記載の口腔健康用歯ブラシ。
【請求項１６】
把柄部と連結され、所定厚さ及び幅を有する歯ブラシヘッド部；
前記歯ブラシヘッド部の上面に形成される歯ブラシ用毛；及び
口腔健康に有用な機能性成分、水溶性高分子及び弾性体を含む口腔健康用弾性部材を含み、前記歯ブラシヘッド部に設けられるチップ２０；を備えることを特徴とする口腔健康用歯ブラシ。
【請求項１７】
把柄部と連結され、所定厚さ及び幅を有する歯ブラシヘッド部；
前記歯ブラシヘッド部の上面に形成される歯ブラシ用毛；及び
口腔健康に有用な機能性成分、水溶性高分子及び弾性体を含む口腔健康用弾性部材を含み、前記歯ブラシヘッド部の少なくとも一部を形成するパッド３０；を備えることを特徴とする口腔健康用歯ブラシ。
【請求項１８】
把柄部と連結され、所定厚さ及び幅を有する歯ブラシヘッド部と、前記歯ブラシヘッド部の上面に形成される歯ブラシ用毛と、を備える歯ブラシにおいて、
前記歯ブラシ用毛が、内部コア層及び前記内部コア層を囲む外部シェル層を備える多層構造の歯ブラシ用毛であって、前記内部コア層及び外部シェル層の少なくとも１つ以上に口腔健康に有用な機能性成分を含み、前記歯ブラシヘッド部の上面に形成される口腔健康用歯ブラシ用毛であるか；
口腔健康に有用な機能性成分、水溶性高分子及び弾性体を含む口腔健康用弾性部材を含み、前記歯ブラシヘッド部に設けられるチップ２０；及び口腔健康に有用な機能性成分、水溶性高分子及び弾性体を含む口腔健康用弾性部材を含み、前記歯ブラシヘッド部の少なくとも一部を形成するパッド３０；のうち少なくとも１つ以上を備えることを特徴とする口腔健康用歯ブラシ。
【請求項１９】
前記口腔健康に有用な機能性成分が、抗炎抗菌剤、美白剤、しみ歯緩和剤、歯石沈着防止剤、香味剤、口臭除去剤、歯茎健康剤、虫歯予防剤、及び口腔洗浄成分からなる群より選択された少なくとも１つ以上であることを特徴とする請求項１４ないし請求項１８のうちいずれか１項に記載の口腔健康用歯ブラシ。
【請求項２０】
前記口腔健康に有用な機能性成分が、竹塩、天日塩、製剤塩、精製塩、松塩、煮塩、溶融塩、加工塩、及びリン酸塩からなる群より選択される少なくとも１つ以上の塩類成分であることを特徴とする請求項１４ないし請求項１８のうちいずれか１項に記載の口腔健康用歯ブラシ。
【請求項２１】
前記塩類成分が、竹塩、リン酸塩及び松塩からなる群より選択される少なくとも１つ以上であることを特徴とする請求項２０に記載の口腔健康用歯ブラシ。
【発明の詳細な説明】
【技術分野】
【０００１】
本発明は、口腔健康に優れた歯ブラシ用毛、弾性部材、及びそれを含む歯ブラシに関する。
【０００２】
本出願は、２０１１年１１月２日出願の韓国特許出願第１０−２０１１−０１１３５６２号、２０１１年１１月２日出願の韓国特許出願第１０−２０１１−０１１３５６３号、及び２０１２年７月３０日出願の韓国特許出願第１０−２０１２−００８３２０１に基づく優先権を主張し、該当出願の明細書及び図面に開示された内容は、すべて本出願に援用される。
【背景技術】
【０００３】
従来の歯ブラシは、通常の歯ブラシ用毛を有し、口腔洗浄の機能を目的とする。具体的に、従来、通常の歯ブラシ用毛は、ポリプロピレン、ポリエチレン、ポリエチレンテレフタレート、ポリブチレンテレフタレート、ポリトリメチレンテレフタレート、ポリウレタン、ナイロンなどのうち１つまたは２つ以上の成分を溶融し、それを微細なノズルに通過させて紡糸成形して製造することが一般的である。このような歯ブラシ用毛は、食べ物の残留物やプラーク除去など歯を物理的に洗浄する機能のほか、他の効果は期待することができない。
【０００４】
近年、従来の通常の歯ブラシ用毛に加えて、ゴム（Ｒｕｂｂｅｒ）、シリコーンなどの弾性部材を歯ブラシヘッドに設けることで、歯磨き時の物理的な洗浄及び歯茎マッサージ効果を与えた製品が市販されている。
【０００５】
しかし、このような製品は、歯ブラシの基本機能である物理的洗浄効果及び弾性部材による歯茎保護効果のみを与えているため、歯磨きを通じて多様な口腔健康を向上させることには役立たないという問題点がある。したがって、通常の歯ブラシの機能のほかに、口腔疾患を予防する効果を高める物質及びそれを含んだ歯ブラシの開発が必要となる。
【発明の概要】
【発明が解決しようとする課題】
【０００６】
本発明は、上記問題点に鑑みてなされたものであり、通常の歯ブラシ用毛が有する物理的洗浄効果だけでなく、口腔健康に有用な成分を用いて抗菌、抗炎、香味、消炎、歯石予防、しみ歯予防、歯茎疾患予防など各種口腔疾患の予防、及び口腔洗浄効果に役立つ歯ブラシ用毛を提供することを目的とする。
【０００７】
また、本発明は、口腔健康に有用な成分を用いて抗菌、抗炎、香味、消炎、歯石予防、しみ歯予防、歯茎疾患予防など各種口腔疾患の予防、及び口腔洗浄効果に役立つ弾性部材を提供することを他の目的とする。
【０００８】
また、本発明は、通常の歯ブラシが有する物理的洗浄効果、弾性部材による歯茎保護及び歯茎マッサージ効果だけでなく、抗菌、抗炎、香味、消炎、歯石予防、しみ歯予防、歯茎疾患予防及び口腔洗浄効果など、各種口腔疾患の予防及び口腔健康に役立つ歯ブラシを提供することをさらに他の目的とする。
【課題を解決するための手段】
【０００９】
上記の課題を達成するため、本発明は、内部コア層；及び前記内部コア層を囲む外部シェル層を備える多層構造の歯ブラシ用毛であって、前記内部コア層及び外部シェル層の少なくとも１つ以上に口腔健康に有用な機能性成分を含むことを特徴とする口腔健康用歯ブラシ用毛を提供する。
【００１０】
前記歯ブラシ用毛において、口腔健康に有用な機能性成分は前記内部コア層を囲む外部シェル層に含まれることが望ましい。
【００１１】
前記歯ブラシ用毛において、前記口腔健康に有用な機能性成分を含む層は、口腔健康に有用な機能性成分及び高分子物質を含む。前記口腔健康に有用な機能性成分の含量は、前記歯ブラシ用毛の全体重量対比０．１重量％ないし１０重量％で含まれることが望ましい。
【００１２】
前記歯ブラシ用毛に使用される口腔健康に有用な機能性成分は、抗炎抗菌剤、美白剤、しみ歯緩和剤、歯石沈着防止剤、香味剤、口臭除去剤、歯茎健康剤、虫歯予防剤、及び口腔洗浄成分からなる群より選択された少なくとも１つ以上であるか、または、竹塩、天日塩、製剤塩、精製塩、松塩、煮塩、溶融塩、加工塩、及びリン酸塩からなる群より選択される少なくとも１つ以上の塩類成分、望ましくは、竹塩、リン酸塩及び松塩からなる群より選択される少なくとも１つ以上であり得る。
【００１３】
また、前記高分子物質は、水溶性高分子物質であることが望ましい。
【００１４】
また、本発明は、口腔健康に有用な機能性成分、水溶性高分子及び弾性体を含む口腔健康用弾性部材を提供する。
【００１５】
前記口腔健康に有用な機能性成分は、前記弾性部材の０．５重量％ないし５０重量％で含まれることが望ましい。
【００１６】
前記口腔健康用弾性部材に使用される口腔健康に有用な機能性成分は、抗炎抗菌剤、美白剤、しみ歯緩和剤、歯石沈着防止剤、香味剤、口臭除去剤、歯茎健康剤、虫歯予防剤、及び口腔洗浄成分からなる群より選択された少なくとも１つ以上であるか、または、竹塩、天日塩、製剤塩、精製塩、松塩、煮塩、溶融塩、加工塩、及びリン酸塩からなる群より選択される少なくとも１つ以上の塩類成分、望ましくは、竹塩、リン酸塩及び松塩からなる群より選択される少なくとも１つ以上であり得る。
【００１７】
本発明による望ましい実施例による歯ブラシの変形例は次のようである。
【００１８】
第１実施例による歯ブラシは、把柄部と連結され、所定厚さ及び幅を有する歯ブラシヘッド部；内部コア層及び前記内部コア層を囲む外部シェル層を備える多層構造の歯ブラシ用毛であって、前記内部コア層及び外部シェル層の少なくとも１つ以上に口腔健康に有用な機能性成分を含み、前記歯ブラシヘッド部の上面に形成される口腔健康用歯ブラシ用毛；を備えることを特徴とする口腔健康用歯ブラシである。
【００１９】
前記口腔健康用歯ブラシにおいて、口腔健康に有用な機能性成分は前記内部コア層を囲む外部シェル層に含まれることが望ましい。
【００２０】
第２実施例による歯ブラシは、把柄部と連結され、所定厚さ及び幅を有する歯ブラシヘッド部；前記歯ブラシヘッド部の上面に形成される歯ブラシ用毛；及び口腔健康に有用な機能性成分、水溶性高分子及び弾性体を含む口腔健康用弾性部材を含み、前記歯ブラシヘッド部に設けられるチップ２０；を備えることを特徴とする口腔健康用歯ブラシである。
【００２１】
第３実施例による歯ブラシは、把柄部と連結され、所定厚さ及び幅を有する歯ブラシヘッド部；前記歯ブラシヘッド部の上面に形成される歯ブラシ用毛；及び口腔健康に有用な機能性成分、水溶性高分子及び弾性体を含む口腔健康用弾性部材を含み、前記歯ブラシヘッド部の少なくとも一部を形成するパッド３０；を備えることを特徴とする口腔健康用歯ブラシである。
【００２２】
第４実施例による歯ブラシは、把柄部と連結され、所定厚さ及び幅を有する歯ブラシヘッド部と、前記歯ブラシヘッド部の上面に形成される歯ブラシ用毛とを備える歯ブラシにおいて、前記歯ブラシ用毛が、内部コア層及び前記内部コア層を囲む外部シェル層を備える多層構造の歯ブラシ用毛であって、前記内部コア層及び外部シェル層の少なくとも１つ以上に口腔健康に有用な機能性成分を含み、前記歯ブラシヘッド部の上面に形成される口腔健康用歯ブラシ用毛であるか；口腔健康に有用な機能性成分、水溶性高分子及び弾性体を含む口腔健康用弾性部材を含み、前記歯ブラシヘッド部に設けられるチップ２０；及び口腔健康に有用な機能性成分、水溶性高分子及び弾性体を含む口腔健康用弾性部材を含み、前記歯ブラシヘッド部の少なくとも一部を形成するパッド３０；のうち少なくとも１つ以上を備えることを特徴とする口腔健康用歯ブラシである。
【００２３】
前記口腔健康用歯ブラシに使用される口腔健康に有用な機能性成分は、抗炎抗菌剤、美白剤、しみ歯緩和剤、歯石沈着防止剤、香味剤、口臭除去剤、歯茎健康剤、虫歯予防剤、及び口腔洗浄成分からなる群より選択された少なくとも１つ以上であるか、または、竹塩、天日塩、製剤塩、精製塩、松塩、煮塩、溶融塩、加工塩、及びリン酸塩からなる群より選択される少なくとも１つ以上の塩類成分、望ましくは竹塩、リン酸塩及び松塩からなる群より選択される少なくとも１つ以上であり得る。
【発明の効果】
【００２４】
本発明による歯ブラシ用毛は、通常の歯ブラシ用毛が有する物理的な効果だけでなく、口腔健康に有用な機能性成分を含む多層構造の歯ブラシ用毛により、抗菌、抗炎、香味、消炎、歯石予防、しみ歯予防、歯茎疾患予防などの各種口腔疾患の予防、及び口腔洗浄効果など、口腔健康に有用な機能を効果的に実現する。また、本発明による歯ブラシ用毛は、歯ブラシ用毛に薬効成分を単に混入したものより、歯磨きを通じた実質的な口腔健康の向上に、相対的に長期間に亘って役立つことができる。
【００２５】
また、本発明による弾性部材は、口腔健康に有用な機能性成分を含んでいるため、このような成分による抗菌、抗炎、香味、消炎、歯石予防、しみ歯予防、歯茎疾患予防などの各種口腔疾患の予防、及び口腔洗浄効果など、口腔健康に有用な機能を効果的に実現する。
【００２６】
また、本発明による歯ブラシ用毛及び弾性部材のうち少なくとも１つ以上を備える歯ブラシは、歯磨きのとき、通常の歯ブラシが有する通常の歯ブラシ用毛から発現される物理的洗浄効果及び通常の弾性部材から発現される歯茎保護及び歯茎マッサージ効果だけでなく、抗菌、抗炎、香味、消炎、歯石予防、しみ歯予防、歯茎疾患予防などの各種口腔疾患の予防、口腔洗浄効果など口腔健康に役立つことができる。
【図面の簡単な説明】
【００２７】
【図１】本発明による多層構造の口腔健康用歯ブラシの斜視図である。
【図２】本発明による多層構造の口腔健康用歯ブラシの平面図である。
【図３】本発明による多層構造の口腔健康用歯ブラシ用毛の斜視図である。
【図４】図３のＩＶ−ＩＶ線断面図である。
【図５】図３のＶ−Ｖ線断面図である。
【発明を実施するための形態】
【００２８】
以下、本発明の望ましい実施例を詳しく説明する。本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。また本明細書に添付される図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００２９】
以下、本発明よる口腔健康に有用な機能性成分を含む多層構造の口腔健康用歯ブラシ用毛について詳しく説明する。
【００３０】
図４及び図５を参考すれば、前記歯ブラシ用毛１０は円筒状であり、前記歯ブラシ用毛１０は内部コア層１及び前記内部コア層を囲む外部シェル層２からなる。前記内部コア層１は、歯ブラシ用毛１０の中央に位置し、歯ブラシ用毛の長さ方向に所定の厚さを有する円筒状であり、さらに歯ブラシヘッド部２００の反対側の末端は開放されている。前記外部シェル層２は、所定の厚さで前記内部コア層１の外面を囲んでいる。
【００３１】
本発明の一実施例は、内部コア層；及び前記内部コア層を囲む外部シェル層を備える多層構造の歯ブラシ用毛であって、前記内部コア層及び外部シェル層の少なくとも１つ以上に口腔健康に有用な機能性成分を含むことを特徴とする口腔健康用歯ブラシ用毛である。
【００３２】
より望ましい多層構造の口腔健康用歯ブラシ用毛は、口腔健康に有用な機能性成分を含む層が外部シェル層であり、通常の歯ブラシ用毛材質の内部コア層、及び前記内部コア層を囲み、口腔健康に有用な機能性成分を含む外部シェル層を備える歯ブラシ用毛である。口腔健康に有用な機能性成分を含む層が外部シェル層である場合、口腔健康に有用な機能性成分がより溶出し易く、内部コア層は通常の歯ブラシ用毛から構成されるため、歯ブラシ用毛の弾性や物性にもあまり影響を及ぼさない。
【００３３】
前記多層構造の歯ブラシ用毛は、多層構造を有しない単一コア歯ブラシ用毛に比べて、機能性成分の含有量が高められ、効果的に放出できるという顕著な効果を奏する。単一コア歯ブラシ用毛に口腔健康に有用な機能性成分を単に混入したものは、歯ブラシ用毛の剪断強度や引張力、弾力性など基本的な品質を考慮すれば、含まれる量が極めて制限的になるしかない。しかし、本発明による多層構造の歯ブラシ用毛は、外部シェル層または内部コア層に機能性成分を含むため、歯ブラシ用毛の剪断強度や引張力、弾力性など基本的な品質を最大限維持しながら前記機能性成分を含むことができる。のみならず、口腔健康に有用な機能性成分を歯ブラシ用毛の表面になる外部シェル層に含有し、水溶性ポリマーをさらに外部シェル層に含有すれば、歯磨きの際に水分を吸収し、前記口腔健康に有用な機能性成分の一層効果的な放出を期待することができる。
【００３４】
以下、本発明の歯ブラシ用毛に含まれる成分について詳しく説明する。
【００３５】
本発明による口腔健康に有用な機能性成分を含む層に含まれる物質は、口腔健康に有用な機能性成分である。使用可能な成分としては、抗炎抗菌剤、美白剤、しみ歯緩和剤、歯石沈着防止剤、香味剤、口臭除去剤、歯茎健康剤、虫歯予防剤、または口腔洗浄成分が挙げられるが、これらに限定されることはない。
【００３６】
具体的には、抗炎抗菌剤として、竹塩、天日塩、製剤塩、精製塩、松塩、煮塩、溶融塩、加工塩、及びリン酸塩からなる群より選択される少なくとも１つ以上の塩類成分、アミノ酸金属イオン剤、アロエ、トリクロサン、トリクロサン一リン酸塩、クロルヘキシジン、アレキシジン、ヘキセチジン、サンギナリン（ｓａｎｇｕｉｎａｒｉｎｅ）、塩化ベンザルコニウム、サリチルアニリド（ｓａｌｉｃｙｌａｎｉｌｉｄｅ）、臭化ドミフェン、塩化セチルピリジニウム、塩化テトラデシルピリジニウム、Ｎ‐テトラデシル‐４‐エチルピリジニウムフルオライド（ＴＤＥＰ）、オクテニジン、デルモピノール、オクタピノール、ニシンポリフェノール、ピルビン酸エチル（ｅｔｈｙｌ ｐｙｒｕｖａｔｅ）またはグアニジノエチル二硫化物（ｇｕａｎｉｄｉｎｏｅｔｈｙｌ ｄｉｓｕｌｆｉｄｅ）；美白剤として、過酸化水素、尿素過酸化物、過炭酸ナトリウム（ｓｏｄｉｕｍ ｐｅｒｃａｒｂｏｎａｔｅ）、ポリビニルピロリドン支援過酸化物（ｐｏｌｙｖｉｎｙｌｐｙｒｒｏｌｉｄｏｎｅ−ｓｕｐｐｏｒｔｅｄ ｈｙｄｒｏｇｅｎ ｐｅｒｏｘｉｄｅ、ＰＶＰ‐Ｈ２Ｏ２）またはポリマー結合（ｐｏｌｙｍｅｒ−ｂｏｕｎｄ）過酸化物；しみ歯緩和剤として、ヒドロキシアパタイト、硝酸カリウム、吸蔵剤（ｏｃｃｌｕｄｉｎｇ ａｇｅｎｔｓ）、生体ガラス（ｂｉｏａｃｔｉｖｅ ｇｌａｓｓ）、アルギニン塩、アルギニン重炭酸塩またはバイカリン（ｂａｉｃａｌｉｎ）；歯石沈着防止剤としてピロリン酸四ナトリウム；香味剤として、エッセンシャルオイル、パパイン、フィシン、エチルラウロイルアルギネート、メントール、カルボン、アネトール、多様な香味アルデヒド、エステル、アルコール、スペアミントオイル、ペパミントオイル、ウィンターグリーンオイル、サッサフラスオイル、丁字オイル（ｃｌｏｖｅ ｏｉｌ）、サルビアオイル、ユーカリオイル、マージョラムオイル、シナモンオイル、レモンオイル、ライムオイル、グレープフルーツオイルまたはオレンジオイル；口臭除去剤として、フラノン（ｆｕｒａｎｏｎｅ）、バクテリオシン、フラバン（ｆｌａｖａｎｓ）またはフラボノイド；歯茎健康剤として葉酸、ビタミンまたはミネラル；虫歯予防剤としてリン酸塩、ポリビニルホスホン酸、グルコースオキシダーゼ（ｇｌｕｃｏｓｅ ｏｘｉｄａｓｅ）、フッ化ナトリウム、モノフルオロリン酸ナトリウムまたはフッ化スズ；若しくは、口腔洗浄成分としてアルキル硫酸塩、ポロキサマー（ｐｏｌｏｘａｍｅｒ）などの気泡剤、シリカ、リン酸カルシウム、炭酸カルシウム、アルミナ、重曹（ｓｏｄｉｕｍ ｂｉｃａｒｂｏｎａｔｅ）などの研磨剤などを使用することができるが、これらに限定されることはない。また、上述した成分は、抗炎抗菌剤、美白剤、歯石沈着防止剤、口臭除去剤、歯茎健康剤、虫歯予防剤、口腔洗浄剤などのそれぞれの機能だけでなく、これら機能のうち口腔健康に有用な機能を同時に複合的に発現することもできる。
【００３７】
本発明による口腔健康に有用な機能性成分として、望ましくは、竹塩、天日塩、製剤塩、精製塩、松塩、煮塩、溶融塩、加工塩及びリン酸塩からなる群より選択される少なくとも１つ以上の塩類成分が使用され、より望ましくは、竹塩、リン酸塩及び松塩からなる群より選択される少なくとも１つ以上が使用される。これらを含む多層歯ブラシ用毛は、抗菌、抗炎、香味、消炎、歯石予防、しみ歯予防及び歯茎疾患予防など各種口腔疾患の予防の機能を果たすことができる。ここで、竹塩とは、竹筒の中に入れて焼いた塩であって、ＳＡＭＢＯＵ竹塩社製、ＫＡＥＡＭ竹塩社製、またはＩＮＳＡＮＧＡ竹塩社製のものを使用することができる。口腔健康に有用な機能性成分として竹塩を含む層は、竹塩成分（より望ましくは微細竹塩粉末）、高分子物質及び通常の歯ブラシ用毛の製造に使用される水不溶性高分子物質を含む。
【００３８】
本発明による口腔健康に有用な機能性成分を含む層は、構成要素として高分子物質を含む。前記高分子物質は、水溶性高分子物質であることがより望ましい。口腔健康に有用な機能性成分を含む層に水溶性高分子物質を含む歯ブラシ用毛で歯磨きすれば、歯磨き圧の外の水溶性高分子物質の水分吸収によって口腔健康に有用な機能性成分の放出が最大限に高くなり得る。
【００３９】
望ましくは、本発明による高分子物質として、ポリアクリル酸、ポリ（メタ）アクリレート、ポリビニルアセテートなどのポリアクリル系高分子；セルロース、ヒドロキシプロピルメチルセルロース、ヒドロキシメチルセルロース、メチルセルロース、エチルセルロース、ヒドロキシメチルセルロース、ヒドロキシエチルセルロース、ヒドロキシエチルメチルセルロース、カルボキシメチルセルロースなどのセルロース系高分子；ポリビニルアルコール、ポリエチレングリコール、ポリプロピレングリコール、ポリプロピレングリコール共重合体などのポリアルコール系高分子；ポリビニルアセテートフタレート；ポリエチレンオキサイド；ラテックス（ｌａｔｅｘ）；セラック（ｓｈｅｌｌａｃ）；ロジンワックス；ポリアミド；ポリエステル；ポリオレフィン；シリコーン；及び合成ゴムからなる群より選択される１種以上の高分子物質を使用する。
【００４０】
高分子物質のうちより望ましい水溶性高分子物質としては、ポリアクリル系高分子、セルロース系高分子、ポリアルコール系高分子、ポリエチレンオキサイドなどを単独でまたは混合して使用することができる。
【００４１】
本発明による口腔健康に有用な機能性成分を含む層を構成する要素の１つである水不溶性高分子物質は、通常の歯ブラシ用毛の製造に使用される物質である。例えば、ポリプロピレン、ポリエチレン、ポリエチレンテレフタレート、ポリブチレンテレフタレート、ポリトリメチレンテレフタレート、ポリウレタン、ナイロン成分などのような水不溶性高分子物質を意味するが、これらに限定されない。
【００４２】
口腔健康に有用な機能性成分を含む層に含まれる口腔健康に有用な機能性成分の含量は、全体歯ブラシ用毛の重量対比０．１重量％ないし１０重量％を含むことが望ましく、０．５重量％ないし５重量％を含むことがより望ましい。口腔健康に有用な機能性成分の含量が、最終的な歯ブラシ用毛の重量の０．１重量％未満である場合、歯磨き時に成分があまり放出されず効果を得難く、１０重量％を超過する場合は、紡糸して歯ブラシ用毛を製造することが困難であり、歯ブラシ用毛自体の固有物性を維持できなくなるという問題がある。
【００４３】
口腔健康に有用な機能性成分を含まない層（外部シェル層に口腔健康に有用な機能性成分が含まれる場合は内部コア層、内部コア層に口腔健康に有用な機能性成分が含まれる場合は外部シェル層）には、通常の歯ブラシ用毛の製造に使用される物質が含まれる。例えば、ポリプロピレン、ポリエチレン、ポリエチレンテレフタレート、ポリブチレンテレフタレート、ポリトリメチレンテレフタレート、ポリウレタン、ナイロン成分などのような水不溶性高分子物質が挙げられるが、これらに限定されることはない。
【００４４】
本発明による多層構造の歯ブラシ用毛において、内部コア層の厚さ及び外部シェル層の厚さは１：１ないし１：１０の比率で使用目的に合わせて調節することができる。
【００４５】
以下、本発明による歯ブラシ用毛の製造方法のうち、二重コア押出紡糸成形法を用いた過程を説明する。
【００４６】
前記外部シェル層に使用される通常の歯ブラシ用毛の成分と、内部コア層に使用される口腔健康に有用な機能性成分及び高分子物質の混合成分とは、異なる原料投入口から投入される。加熱した後、通常の押出紡糸条件で紡糸し、層を区分できる押出紡糸成形機を通過させる。成形機を通過した二重層構造を延伸工程及び冷却工程を経て適切な強度及び引張力を与え、歯ブラシ用毛を製造する。このとき、外部シェル層及び内部コア層の厚さは使用目的に合わせて調節することができる。
【００４７】
本発明による多層構造歯ブラシ用毛を備える歯ブラシを用いて歯磨きすれば、歯磨き圧及び水分によって口腔健康に有用な機能性成分が放出され、このような成分が歯や歯茎に働いて抗菌、抗炎、香味、消炎、歯石予防、しみ歯予防、歯茎疾患予防など各種口腔疾患の予防、及び口腔洗浄効果に役立つ。
【００４８】
以下、本発明による口腔健康用弾性部材を説明する。
【００４９】
本発明による口腔健康用弾性部材に含まれる物質は、口腔健康に有用な機能性成分である。使用できる成分としては、抗炎抗菌剤、美白剤、しみ歯緩和剤、歯石沈着防止剤、香味剤、口臭除去剤、歯茎健康剤または虫歯予防剤が挙げられるが、これらに限定されることはない。
【００５０】
具体的に、抗炎抗菌剤として、竹塩、天日塩、製剤塩、精製塩、松塩、煮塩、溶融塩、加工塩、及びリン酸塩からなる群より選択される少なくとも１つ以上の塩類成分、アミノ酸金属イオン剤、アロエ、トリクロサン、トリクロサン一リン酸塩、クロルヘキシジン、アレキシジン、ヘキセチジン、サンギナリン、塩化ベンザルコニウム、サリチルアニリド、臭化ドミフェン、塩化セチルピリジニウム、塩化テトラデシルピリジニウム、Ｎ‐テトラデシル‐４‐エチルピリジニウムフルオライド（ＴＤＥＰ）、オクテニジン、デルモピノール、オクタピノール、ニシンポリフェノール、ピルビン酸エチルまたはグアニジノエチル二硫化物；美白剤として、過酸化水素、尿素過酸化物、過炭酸ナトリウム、ポリビニルピロリドン支援過酸化物（ＰＶＰ‐Ｈ２Ｏ２）またはポリマー結合過酸化物）；しみ歯緩和剤として、ヒドロキシアパタイト、硝酸カリウム、吸蔵剤、生体ガラス、アルギニン塩、アルギニン重炭酸塩またはバイカリン；歯石沈着防止剤としてピロリン酸四ナトリウム；香味剤として、エッセンシャルオイル、パパイン、フィシン、エチルラウロイルアルギネート、メントール、カルボン、アネトール、多様な香味アルデヒド、エステル、アルコール、スペアミントオイル、ペパミントオイル、ウィンターグリーンオイル、サッサフラスオイル、丁字オイル、サルビアオイル、ユーカリオイル、マージョラムオイル、シナモンオイル、レモンオイル、ライムオイル、グレープフルーツオイルまたはオレンジオイル；口臭除去剤として、フラノン、バクテリオシン、フラバンまたはフラボノイド；歯茎健康剤として葉酸、ビタミンまたはミネラル；虫歯予防剤としてリン酸塩、ポリビニルホスホン酸、グルコースオキシダーゼ、フッ化ナトリウム、モノフルオロリン酸ナトリウムまたはフッ化スズ；若しくは、口腔洗浄成分としてアルキル硫酸塩、ポロキサマーなどの気泡剤、シリカ、リン酸カルシウム、炭酸カルシウム、アルミナ、重曹などの研磨剤などを使用することができるが、これらに限定されることはない。また、上述した成分は、抗炎抗菌剤、美白剤、歯石沈着防止剤、口臭除去剤、歯茎健康剤、虫歯予防剤、口腔洗浄効果などのそれぞれの機能だけでなく、これら機能のうち口腔健康に有用な機能を同時に複合的に発現することもできる。
【００５１】
本発明による口腔健康に有用な機能性成分として、望ましくは、竹塩、天日塩、製剤塩、精製塩、松塩、煮塩、溶融塩、加工塩及びリン酸塩からなる群より選択される少なくとも１つ以上の塩類成分が使用され、より望ましくは、竹塩、リン酸塩及び松塩からなる群より選択される少なくとも１つ以上が使用される。これらを含む弾性部材は、抗菌、抗炎、香味、消炎、歯石予防、しみ歯予防及び歯茎疾患予防など各種口腔疾患の予防の機能を果たすことができる。前記竹塩は、ＳＡＭＢＯＵ竹塩社製、ＫＡＥＡＭ竹塩社製、またはＩＮＳＡＮＧＡ竹塩社製のものを使用することができる。
【００５２】
本発明による高分子物質は、歯磨き時に物理的摩擦及び水分によって口腔健康に有用な機能性成分が放出できるように、水溶性高分子物質であることを特徴とする。望ましくは、本発明による水溶性高分子として、ポリアクリル酸、ポリ（メタ）アクリレート、ポリビニルアセテートなどのポリアクリル系高分子；セルロース、ヒドロキシプロピルメチルセルロース、ヒドロキシメチルセルロース、メチルセルロース、エチルセルロース、ヒドロキシメチルセルロース、ヒドロキシエチルセルロース、ヒドロキシエチルメチルセルロース、カルボキシメチルセルロースなどのセルロース系高分子；ポリビニルアルコール、ポリエチレングリコール、ポリプロピレングリコール、ポリプロピレングリコール共重合体などのポリアルコール系高分子；ポリエチレンオキサイドなどを単独でまたは混合して使用することができる。
【００５３】
本発明による弾性体物質は、通常の弾性物質として使用される成分を使用する。例えば、ＥＰＤＭ（Ｅｔｈｙｌｅｎｅ Ｐｒｏｐｙｌｅｎｅ Ｄｉｅｎｅ Ｍｏｎｏｍｅｒ）ゴム、ＳＥＢＳ（Ｓｔｙｒｅｎｅ Ｅｔｈｙｌｅｎｅ Ｂｕｔａｄｉｅｎｅ Ｓｔｙｒｅｎｅ）ゴム及びシリコーン（Ｓｉｌｉｃｏｎｅ）ゴムなどが発明の効果を奏するために使用されるが、これらに限定されることはない。
【００５４】
口腔健康に有用な機能性成分は、水溶性高分子物質の１０重量％ないし９０重量％で含まれることが望ましく、または、全体口腔健康用弾性部材の０．５重量％ないし５０重量％で含まれることが望ましい。
【００５５】
本発明による口腔健康用弾性部材は、口腔健康に有用な機能性成分、水溶性高分子及び弾性体を含む。前記口腔健康用弾性部材は、（ａ）口腔健康に有用な機能性成分及び水溶性高分子物質を混合して製造したペレット（ｐｅｌｌｅｔ）状の成分と、（ｂ）弾性体から製造されたペレット状の成分とを一定比率で混合し、通常の押出または射出成形を通じて製造する。
【００５６】
本発明による口腔健康用弾性部材は、口腔健康のための製品に部分的に又は全体的に、本発明の目的を達成するためにあらゆる範囲で使用可能であり、例えば、歯ブラシ、口腔掃除用ゴムパッドなどで使用することができる。最も望ましくは、歯茎保護及び歯茎保護用チップやパッドのような歯ブラシの部分的部品として使用することができる。
【００５７】
本発明による口腔健康用弾性部材を含む歯ブラシの作用機序は、チップまたはパッドに含有されている口腔健康に有用な成分が歯磨き時の物理的摩擦及び水分によって放出され、このような口腔健康に有用な成分が歯や歯茎に働いて抗菌、抗炎、歯茎疾患など各種口腔疾患の予防、及び口腔健康に役立つようになる。したがって、通常の歯ブラシ用毛が有する物理的な洗浄効果だけでなく、口腔健康に有用な機能性成分による多様な効能を効果的に実現することで口腔健康にかなり役立つ。
【００５８】
以下、望ましい実施形態である多層構造の口腔健康用歯ブラシ用毛及び口腔健康用弾性部材を少なくとも１つ以上を含む歯ブラシについて説明する。以下、歯ブラシに使用される多層構造の口腔健康用歯ブラシ用毛及び口腔健康用弾性部材についての詳細は、上述したとおりである。
【００５９】
添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００６０】
図１は、本発明の望ましい実施例による歯ブラシ用毛１０、チップ２０及びパッド３０を備える歯ブラシの斜視図である。
【００６１】
図面を参照すれば、歯ブラシ１００は、把柄部と連結され、所定厚さ及び幅を有する歯ブラシヘッド部２００；前記歯ブラシヘッド部の上面に形成される歯ブラシ用毛１０；前記歯ブラシヘッド部に設けられるチップ２０；前記歯ブラシヘッド部の少なくとも一部を形成するパッド３０を備える。
【００６２】
前記歯ブラシ用毛１０は、円筒状であり、内部コア層１及び前記内部コア層を囲む外部シェル層２からなり、歯ブラシヘッド部２００の上面に形成されている。前記内部コア層１は、歯ブラシ用毛１０の中央に位置し、歯ブラシ用毛１０の長さ方向で所定の厚さを有する円筒状であり、さらに歯ブラシヘッド部２００の反対側の末端は開放されている。前記外部シェル層２は、所定の厚さで前記内部コア層１の外面を囲んでいる。
【００６３】
また、歯ブラシヘッド部２００には、歯ブラシ用毛及び本発明によるチップ２０が設けられる。前記チップ２０は、歯ブラシヘッド部に設けられ、例えば、歯ブラシヘッド部の上面、下面または側面に、歯茎マッサージ効果が最大になるように所定個数で配置され、付着されるかまたは一体的に形成される。望ましくは、前記チップ２０は歯ブラシヘッド部に取り付けられ、通常歯ブラシ用毛と並んで上面に形成される。
【００６４】
また、前記パッド３０は、歯ブラシヘッド部２００の少なくとも一部を形成し、例えば、歯ブラシヘッド部の上面、下面または側面の先端、中端、後端などに形成でき、ヘッド部の長さ方向に形成されることもできる。
【００６５】
本発明による多層構造の歯ブラシ用毛及び弾性部材、望ましくチップ２０またはパッド３０を含む歯ブラシは多様な組合せで形成することができる。変形例は以下のようである。
【００６６】
第１実施例による歯ブラシは、把柄部と連結され、所定厚さ及び幅を有する歯ブラシヘッド部；内部コア層及び前記内部コア層を囲む外部シェル層を備える多層構造の歯ブラシ用毛であって、前記内部コア層及び外部シェル層の少なくとも１つ以上に口腔健康に有用な機能性成分を含み、前記歯ブラシヘッド部の上面に形成される口腔健康用歯ブラシ用毛；を備えることを特徴とする口腔健康用歯ブラシである。
【００６７】
前記口腔健康用歯ブラシにおいて、口腔健康に有用な機能性成分は前記内部コア層を囲む外部シェル層に含まれることが望ましい。
【００６８】
第２実施例による歯ブラシは、把柄部と連結され、所定厚さ及び幅を有する歯ブラシヘッド部；前記歯ブラシヘッド部の上面に形成される歯ブラシ用毛；及び口腔健康に有用な機能性成分、水溶性高分子及び弾性体を含む口腔健康用弾性部材を含み、前記歯ブラシヘッド部に設けられるチップ２０；を備えることを特徴とする口腔健康用歯ブラシである。
【００６９】
第３実施例による歯ブラシは、把柄部と連結され、所定厚さ及び幅を有する歯ブラシヘッド部；前記歯ブラシヘッド部の上面に形成される歯ブラシ用毛；及び口腔健康に有用な機能性成分、水溶性高分子及び弾性体を含む口腔健康用弾性部材を含み、前記歯ブラシヘッド部の少なくとも一部を形成するパッド３０；を備えることを特徴とする口腔健康用歯ブラシである。
【００７０】
第４実施例による歯ブラシは、把柄部と連結され、所定厚さ及び幅を有する歯ブラシヘッド部と、前記歯ブラシヘッド部の上面に形成される歯ブラシ用毛とを備える歯ブラシにおいて、前記歯ブラシ用毛が、内部コア層及び前記内部コア層を囲む外部シェル層を備える多層構造の歯ブラシ用毛であって、前記内部コア層及び外部シェル層の少なくとも１つ以上に口腔健康に有用な機能性成分を含み、前記歯ブラシヘッド部の上面に形成される口腔健康用歯ブラシ用毛であるか；口腔健康に有用な機能性成分、水溶性高分子及び弾性体を含む口腔健康用弾性部材を含み、前記歯ブラシヘッド部に設けられるチップ２０；及び口腔健康に有用な機能性成分、水溶性高分子及び弾性体を含む口腔健康用弾性部材を含み、前記歯ブラシヘッド部の少なくとも一部を形成するパッド３０；のうち少なくとも１つ以上を備えることを特徴とする口腔健康用歯ブラシである。
【００７１】
以下、本発明を具体的な実施例を挙げて説明する。しかし、本発明による実施例は多くの他の形態に変形されることができ、本発明の範囲が後述する実施例に限定されると解釈されてはならない。本発明の実施例は当業界で平均的な知識を有する者に本発明をより完全に説明するために提供されるものである。
【００７２】
＜口腔健康に有用な機能性成分を含む多層構造の歯ブラシ用毛＞
機能性成分を含む多層構造の歯ブラシ用毛を備える歯ブラシの製造
本発明による歯ブラシ用毛の内部コア層として、通常の歯ブラシ用毛の製造に使用するポリブチレンテレフタレート成分をペレット状に製造した。
【００７３】
また、竹塩成分を含む外部シェル層は、水不溶性ポリマーであるポリブチレンテレフタレート成分７０重量％及び水溶性ポリマーであるヒドロキシプロピルメチルセルロース２５重量％に、実施例１−１では竹塩微細粉末を最終的な歯ブラシ用毛の全体重量対比１重量％、実施例１−２では竹塩微細粉末を最終的な歯ブラシ用毛の全体重量対比３重量％、実施例１−３では竹塩微細粉末を最終的な歯ブラシ用毛の全体重量対比５重量％を混合し、ペレット状に製造した。
【００７４】
また、リン酸塩成分を含む外部シェル層は、水不溶性ポリマーであるポリブチレンテレフタレート成分９０重量％、水溶性ポリマーであるポリエチレンオキサイド５重量％に、実施例１−４ではリン酸塩成分を最終的な歯ブラシ用毛の全体重量対比１重量％、実施例１−５ではリン酸塩成分を最終的な歯ブラシ用毛の全体重量対比３重量％、実施例１−６ではリン酸塩成分を最終的な歯ブラシ用毛の全体重量対比５重量％を混合し、ペレット状に製造した。
【００７５】
次いで、前記内部コア層に使用される通常の歯ブラシ用毛成分であるポリブチレンテレフタレート成分と、外部シェル層に使用されるポリブチレンテレフタレート、ヒドロキシプロピルメチルセルロース及び竹塩またはリン酸塩成分の混合成分とを異なる原料投入口から投入した。加熱した後、通常の押出紡糸条件で紡糸し、層が区分できる押出紡糸成形機を通過させた。成形機を通過した二重層構造を延伸工程及び冷却工程を経て適切な強度及び引張力を与え、歯ブラシ用毛を製造した。
【００７６】
比較例として使用される歯ブラシは、通常の歯ブラシ用毛を備える歯ブラシである。
【００７７】
機能性成分を含む多層構造の歯ブラシ用毛を備える歯ブラシの機能性成分の溶出効果
実施例による歯ブラシで、自体製作した歯ブラシ用毛の毛開き測定機器を使用して一定時間ブラッシングした後、時間の経過及び機能性成分の含量毎の機能性成分の放出濃度を測定し、表１に示した。
【００７８】
［表１］
【表１】
2014532510.tif 000003
【００７９】
上記の実施例から、竹塩及びリン酸塩の含量及び時間の経過毎に、竹塩及びリン酸塩成分の放出濃度が変わることが分かる。また、上記実施例の外にも水溶性ポリマーの含量によって放出される濃度が変わり得るため、上記の実施例によって本発明の技術的範囲は制限されない。
【００８０】
機能性成分を含む多層構造の歯ブラシ用毛を備える歯ブラシの評価
実施例による歯ブラシ及び比較例による歯ブラシを使用して歯磨きの効果を比較評価した。本発明による歯ブラシまたは比較例による歯ブラシを成人男女４０名に１日２回交替で２週間使用させ（１回３分間歯磨き）、毎回評価者が５点を基準に評価した。その結果を下記表２及び表３に示した。
［評価基準］
５点：効果が非常に優れる。
４点：効果が優れる。
３点：効果が普通である。
２点：効果がやや低い。
１点：効果がかなり低い。
【００８１】
［表２］
【表２】
2014532510.tif 000004
【００８２】
[表３]
【表３】
2014532510.tif 000005
【００８３】
洗浄感：歯磨き後に感じる食べ物除去効果
さっぱり感：歯磨き後に感じる爽快感の程度
歯茎効果：歯茎マッサージ効果
歯石予防効果：歯磨き後に感じる歯石形成抑制効果
しみ歯予防効果：歯磨き後に感じるしみ歯の緩和程度
【００８４】
表２及び表３に示されたように、本発明による歯ブラシ用毛を用いた場合、洗浄効果、さっぱり感、歯石予防効果、しみ歯予防効果及び口腔疾患予防効果など歯磨き効果が一層優れた。
【００８５】
＜口腔健康に有用な機能性成分を含むチップを備える歯ブラシ＞
機能性成分を含むチップを備える歯ブラシの製造
粉砕された竹塩粉末ペレット、水溶性ポリマーであるポリエチレンオキサイドペレット及びＳＥＢＳペレットを射出成形機に混合投入し、加熱した。歯ブラシヘッド板の融着面上に形成されたチャネルに射出し、このチャネルに沿って連結されたチップ成形口に流動体を供給して冷却することで、チップを形成した。植毛機を用いて通常の歯ブラシ用毛を備える歯ブラシを製造した。
【００８６】
実施例２−１では、粉砕された竹塩粉末ペレット５重量％、水溶性ポリマーであるポリエチレンオキサイドペレット１５重量％、ペレット状のＳＥＢＳ ８０重量％を射出成形機に混合投入し、チップ中の竹塩含有量を５重量％にした。実施例２−２では、粉砕された竹塩粉末ペレット１０重量％、水溶性ポリマーであるポリエチレンオキサイドペレット１０重量％、及びペレット状のＳＥＢＳ ８０重量％を射出成形機に混合投入し、チップ中の竹塩含有量を１０重量％にした。
【００８７】
比較例として使用される歯ブラシは、竹塩成分が混合された水溶性高分子物質のペレットを使用しないことを除き、同様の方法で歯ブラシを製造した。
【００８８】
機能性成分を含むチップを備える歯ブラシの機能性成分の放出量の評価
歯ブラシヘッド部にチップを形成した実施例の歯ブラシで、自体製作した歯ブラシ用毛の毛開き測定機器を使用して一定時間ブラッシングした後、時間の経過及び竹塩含量毎の竹塩成分の放出濃度を測定し、表４に示した。
【００８９】
［表４］
【表４】
2014532510.tif 000006
【００９０】
機能性成分を含むチップを備える歯ブラシの評価
実施例の歯ブラシ及び比較例の歯ブラシを使用して歯磨きの効果を比較評価した。本発明による歯ブラシまたは比較例の歯ブラシを成人男女４０名に１日２回交替で２週間使用させ（１回３分間歯磨き）、毎回評価者が５点を基準に評価した。その結果を下記表５に示した。
［評価基準］
５点：効果が非常に優れる。
４点：効果が優れる。
３点：効果が普通である。
２点：効果がやや低い。
１点：効果がかなり低い。
【００９１】
［表５］
【表５】
2014532510.tif 000007
【００９２】
洗浄感：歯磨き後に感じる食べ物除去効果
さっぱり感：歯磨き後に感じる爽快感の程度
歯茎効果：歯茎マッサージ効果
【００９３】
表５に示されたように、本発明によれば、洗浄効果、さっぱり感及び口腔疾患の予防効果など歯磨き効果が一層優れた。
【符号の説明】
【００９４】
１     内部コア層
２     外部シェル層
１０   歯ブラシ用毛
２０   チップ
３０   パッド
１００ 歯ブラシ
２００ 歯ブラシヘッド部
【図１】
2014532510.tif 000008
【図２】
2014532510.tif 000009
【図３】
2014532510.tif 000010
【図４】
2014532510.tif 000011
【図５】
2014532510.tif 000012
【国際調査報告】
2014532510.tif 000013
2014532510.tif 000014
2014532510.tif 000015
2014532510.tif 000016